(57)【特許請求の範囲】
【請求項１】
蓄電装置の一部を覆う第一の蓋部と、
前記第一の蓋部の一部を挿入可能な被嵌込部と、を備え、
前記第一の蓋部は、該第一の蓋部自身の回転支点となる第一の支点部と、該第一の支点部と該第一の蓋部の先端部との間に配置される第二の支点部と、前記第一の蓋部の先端部に形成される嵌込部であって、該第一の蓋部の延びる方向に延出する嵌込部と、を有し、
前記第一の蓋部において、前記第一の支点部を支点として回転する方向と、前記第二の支点部を支点として回転する方向とが同一の方向となるように構成され、
前記被嵌込部は、前記第二の支点部及び前記第一の支点部を支点として回転させた第一の蓋部の前記嵌込部を挿入可能である、
絶縁カバー。
【請求項２】
第一方向に整列する複数の蓄電素子を有する蓄電装置の一部を前記第一方向と直交する第三方向側から覆う平板状の第一の蓋部と、
前記蓄電装置の一部を前記第三方向側から覆う平板状の第二の蓋部と、を備え、
前記第一の蓋部は、前記蓄電装置に対向する第一面と、前記第一面と反対の面である第二面と、を有するとともに、前記第一面に形成される溝によって構成され且つ該第一の蓋部自身の回転支点となる第一の支点部と、前記第一面に形成される溝によって構成され且つ前記第一の支点部と該第一の蓋部の先端部との間に配置される第二の支点部と、を有し、
前記第一の支点部及び前記第二の支点部のそれぞれは、前記第一方向及び前記第三方向に直交する第二方向に延び、
前記第二の蓋部は、前記第一の蓋部と前記第一の支点部で接続されている、
絶縁カバー。
【請求項３】
第一方向に整列する複数の蓄電素子を有する蓄電装置の一部を前記一方向と直交する第三方向側から覆う平板状の第一の蓋部と、
前記蓄電装置の一部を前記第三方向側から覆う平板状の第二の蓋部と、を備え、
前記第一の蓋部と前記第二の蓋部とは、同一平面上に位置し、
前記第一の蓋部は、該第一の蓋部自身の回転支点となる第一の支点部と、該第一の支点部と該第一の蓋部の先端部との間に配置される第二の支点部と、を有し、
前記第一の支点部及び前記第二の支点部のそれぞれは、前記第一方向及び前記第三方向に直交する第二方向に延び、
前記第一の支点部は、前記第二の蓋部に対して回転可能に構成され、
前記第二の蓋部は、前記第一の蓋部と前記第一の支点部で接続されている、
絶縁カバー。
【請求項４】
前記第一の蓋部は、第一の支点部を支点として回転する方向と、第二の支点部を支点と
して回転する方向とが同一の方向となるように構成される、
請求項２又は請求項３に記載の絶縁カバー。
【請求項５】
蓄電素子、及び該蓄電素子と電気的に接続されるバスバを有する蓄電装置と、
請求項１乃至請求項４の何れか一項に記載の絶縁カバーと、
を備える蓄電装置アッセンブリー。
【発明の詳細な説明】
【技術分野】
【０００１】
本発明は、絶縁カバー、及び絶縁カバーを備える蓄電装置アッセンブリーに関する。
【背景技術】
【０００２】
電気自動車やハイブリッド電気自動車等の各種機器では容量の大きな電源が必要なため、図１１に示すように、正極及び負極の電極端子（図示しない）を有する複数の単電池９０を備える電池モジュールが用いられる。
【０００３】
この種の電池モジュールは、図１２に示すように、単電池９０の電極端子に電気的に接続される複数のバスバ９１を備える。また、電池モジュールは、単電池９０と外部の機器とを電気的に接続する接続端子９２であって、単電池９０に電気的に接続される接続端子９２を備える。これに伴い、電池モジュールは、接続端子９２を覆って絶縁する樹脂プロテクタ９３を備える（例えば、特許文献１参照）。
【０００４】
樹脂プロテクタ９３は、接続端子９２を収容して保持する保持部９３０であって、開放面を有する保持部９３０と、該保持部９３０の開放面を覆う蓋部９３１と、該蓋部９３１を保持部９３０に対して開閉回動可能に連結する樹脂支点部９３２とを有する。
【０００５】
そのため、樹脂プロテクタ９３は、蓋部９３１を保持部９３０に対して回動させることによって、保持部９３０の開放面が開かれている状態と、保持部９３０の開放面が蓋部９３１によって閉じられている状態とに切り替えることができるとされている。
【０００６】
ところで、前記電池モジュールでは、接続端子９２に外部の機器を接続する作業や、接続端子９２から外部の機器を取り外す作業等を行う場合、蓋部９３１を回動させて保持部９３０の開放面を開く必要がある。
【０００７】
そのため、前記電池モジュールでは、樹脂プロテクタ９３の周囲に設置されている設置物が蓋部９３１の軌道領域内に存在していると、蓋部９３１が設置物に干渉し、保持部９３０の開放面を十分に開くことができないことがあった。このように、前記電池モジュールでは、樹脂プロテクタ９３内へのアクセスが困難になることがあった。
【先行技術文献】
【特許文献】
【０００８】
【特許文献１】特開２０１３−９７９６２号公報
【発明の概要】
【発明が解決しようとする課題】
【０００９】
そこで、本発明は、上記問題に鑑み、絶縁カバー内へのアクセスが困難になることを抑えることができる蓄電装置の絶縁カバー、及び該絶縁カバーを備える蓄電装置アッセンブリーを提供することを課題とする。
【課題を解決するための手段】
【００１０】
本発明に係る絶縁カバーは、
蓄電装置の一部を覆う第一の蓋部と、
前記第一の蓋部の一部を挿入可能な被嵌込部と、を備え、
前記第一の蓋部は、該第一の蓋部自身の回転支点となる第一の支点部と、該第一の支点部と該第一の蓋部の先端部との間に配置される第二の支点部と、前記第一の蓋部の先端部に形成される嵌込部であって、該第一の蓋部の延びる方向に延出する嵌込部と、を有し、
前記第一の蓋部において、前記第一の支点部を支点として回転する方向と、前記第二の支点部を支点として回転する方向とが同一の方向となるように構成され、
前記被嵌込部は、前記第二の支点部及び前記第一の支点部を支点として回転させた第一の蓋部の前記嵌込部を挿入可能である。
【００１１】
かかる構成によれば、第一の蓋部は、第一の支点部を支点として回転することによって、蓄電素子の外部端子を含む領域を覆った状態と、蓄電素子の外部端子を含む領域を開放した状態とに切り替えられる。
【００１２】
また、絶縁カバーは、第二の支点部を支点として第一の蓋部を回転させることができる。すなわち、絶縁カバーは、第一の支点部と先端部との間に配置される第二の支点部で第一の蓋部を折り曲げることができる。そのため、前記絶縁カバーにおける第一の蓋部は、第二の支点部で折り曲げられた状態において、第一の支点部を支点として回転することができる。
【００１３】
これにより、絶縁カバーは、第一の支点部を支点として回転する第一の蓋部の軌道領域を小さくすることができる。そのため、絶縁カバーでは、第一の蓋部が設置物に干渉し難くなり、蓄電装置の一部の領域（第一の蓋部が覆う領域）を十分に開放し易くなる。従って、絶縁カバーは、内部へのアクセスが困難になることを抑えることができる。
【００１４】
また、第一の蓋部における第二の支点部と先端部との間の部分や、第二の支点部で折り曲げられている状態の第一の蓋部を操作する方向を統一することができる。従って、蓄電装置の一部を開放した状態、又は蓄電装置の一部を覆った状態に切り替える際に、第一の蓋部を操作し易くすることができる。
【００１５】
また、嵌込部を被嵌込部に挿入することによって、蓄電素子の外部端子を含む領域を開放している状態を維持することができる。
【００１６】
さらに、嵌込部は、第一の蓋部の延びる方向において該第一の蓋部の先端部から延出している。そのため、前記絶縁カバーでは、蓄電装置の一部を覆っている第一の蓋部の上方に嵌込部が延出しないように構成されている。従って、前記絶縁カバーは、第一の蓋部が蓄電装置の一部を覆っている状態において、嵌込部が第一の蓋部の上方に配置される周辺機器に干渉することを抑えることができる。
【００１７】
また、本発明に係る絶縁カバーは、
蓄電装置の一部を覆う第一の蓋部を備え、
該第一の蓋部は、該第一の蓋部自身の回転支点となる第一の支点部と、該第一の支点部と該第一の蓋部の先端部との間に配置される第二の支点部と、を有し、
前記第一の蓋部は、平板状に形成されるとともに、前記蓄電装置に対向する第一面と、前記第一面と反対の面である第二面と、を有し、
前記第一の支点部及び前記第二の支点部は、前記第一の蓋部の前記第一面に形成される溝によって構成される。
【００１８】
かかる構成によれば、第一の蓋部は、第一の支点部を支点として回転することによって、蓄電素子の外部端子を含む領域を覆った状態と、蓄電素子の外部端子を含む領域を開放した状態とに切り替えられる。
【００１９】
また、絶縁カバーは、第二の支点部を支点として第一の蓋部を回転させることができる。すなわち、絶縁カバーは、第一の支点部と先端部との間に配置される第二の支点部で第一の蓋部を折り曲げることができる。そのため、前記絶縁カバーにおける第一の蓋部は、第二の支点部で折り曲げられた状態において、第一の支点部を支点として回転することができる。
【００２０】
これにより、絶縁カバーは、第一の支点部を支点として回転する第一の蓋部の軌道領域を小さくすることができる。そのため、絶縁カバーでは、第一の蓋部が設置物に干渉し難くなり、蓄電装置の一部の領域（第一の蓋部が覆う領域）を十分に開放し易くなる。従って、絶縁カバーは、内部へのアクセスが困難になることを抑えることができる。
【００２１】
また、かかる構成によれば、第一の支点部及び前記第二の支点部が蓄電装置の一部を覆っている第一の蓋部の上方に進出することを抑えることができる。従って、前記絶縁カバーは、第一の蓋部が蓄電装置の一部を覆っている状態において、第一の支点部及び第二の支点部が第一の蓋部の上方に配置される周辺機器に干渉することを抑えることができる。
【００２２】
また、本発明に係る絶縁カバーは、
蓄電装置の一部を覆う第一の蓋部と、
前記蓄電装置の一部を覆う第二の蓋部と、を備え、
前記第一の蓋部は、該第一の蓋部自身の回転支点となる第一の支点部と、該第一の支点部と該第一の蓋部の先端部との間に配置される第二の支点部と、を有し、
前記第一の支点部は、前記第二の蓋部に対して回転可能に構成される。
【００２３】
かかる構成によれば、第一の蓋部は、第一の支点部を支点として回転することによって、蓄電素子の外部端子を含む領域を覆った状態と、蓄電素子の外部端子を含む領域を開放した状態とに切り替えられる。
【００２４】
また、絶縁カバーは、第二の支点部を支点として第一の蓋部を回転させることができる。すなわち、絶縁カバーは、第一の支点部と先端部との間に配置される第二の支点部で第一の蓋部を折り曲げることができる。そのため、前記絶縁カバーにおける第一の蓋部は、第二の支点部で折り曲げられた状態において、第一の支点部を支点として回転することができる。
【００２５】
これにより、絶縁カバーは、第一の支点部を支点として回転する第一の蓋部の軌道領域を小さくすることができる。そのため、絶縁カバーでは、第一の蓋部が設置物に干渉し難くなり、蓄電装置の一部の領域（第一の蓋部が覆う領域）を十分に開放し易くなる。従って、絶縁カバーは、内部へのアクセスが困難になることを抑えることができる。
【００２６】
また、かかる構成によれば、第一の蓋部と、第二の蓋部とを一体的に形成することができるため、部品点数を抑えることができる。
【００２７】
前記第一の蓋部は、第一の支点部を支点として回転する方向と、第二の支点部を支点として回転する方向とが同一の方向となるように構成される、
ようにしてもよい。
【００２８】
かかる構成によれば、第一の蓋部における第二の支点部と先端部との間の部分や、第二の支点部で折り曲げられている状態の第一の蓋部を操作する方向を統一することができる。従って、蓄電装置の一部を開放した状態、又は蓄電装置の一部を覆った状態に切り替える際に、第一の蓋部を操作し易くすることができる。
【００２９】
本発明の蓄電装置アッセンブリーは、
蓄電素子、及び該蓄電素子と電気的に接続されるバスバを有する蓄電装置と、
上記何れかの絶縁カバーと、を備える。
【００３０】
このようにすれば、蓄電装置は、第一の蓋部が設置物に干渉し、蓄電素子の外部端子を含む領域を十分に開放できなくなることを抑えることができる。このようにして、絶縁カバーの内部へのアクセスが困難になることを抑えることができる。
【発明の効果】
【００３１】
以上のように、本発明によれば、絶縁カバー内へのアクセスが困難になることを抑えることができる蓄電装置用の絶縁カバー、及び該絶縁カバーを備える蓄電装置アッセンブリーを提供することができる。
【図面の簡単な説明】
【００３２】
【図１】図１は、本発明の一実施形態に係る蓄電装置の斜視図である。
【図２】図２は、同実施形態に係る蓄電装置の蓄電素子の斜視図である。
【図３】図３は、同実施形態に係る蓄電装置の斜視図である。
【図４】図４は、同実施形態に係る蓄電装置にバスバを取り付けた図である。
【図５】図５は、同実施形態に係る蓄電装置に絶縁カバーを取り付けた図である。
【図６】図６は、同実施形態に係る蓄電装置の絶縁カバーの平面図である。
【図７】図７は、同実施形態に係る蓄電装置の絶縁カバーの平面図である。
【図８】図８は、同実施形態に係る蓄電装置の絶縁カバーにおける第一の蓋部の拡大図である。
【図９】図９は、同実施形態に係る蓄電装置の絶縁カバーにおける第一の蓋部の拡大図である。
【図１０】図１０は、同実施形態に係る蓄電装置の絶縁カバーにおける第一の蓋部の拡大図である。
【図１１】図１１は、従来の蓄電装置の側面図である。
【図１２】図１２は、従来の蓄電装置の平面図である。
【発明を実施するための形態】
【００３３】
以下、本発明の蓄電装置の一実施形態について、図面を参照しつつ説明する。尚、本実施形態の各構成部材の名称は、本実施形態におけるものであり、背景技術における各構成部材の名称と異なる場合がある。
【００３４】
蓄電装置は、図１に示すように、外部端子１１を有する蓄電素子１と、該蓄電素子１に隣り合うスペーサ２と、蓄電素子１及びスペーサ２をひとまとめに保持する保持部材３とを備える。保持部材３は、導電材料により成形される。これに伴い、蓄電装置は、蓄電素子１と保持部材３との間に配置されるインシュレータ４を備える。
【００３５】
さらに、蓄電装置では、蓄電素子１の外部端子１１が配置される部分が絶縁カバー５によって覆われて絶縁されている（図５参照）。なお、以下の説明において、蓄電装置に絶縁カバー５を取り付けたものを蓄電装置アッセンブリーという場合がある。
【００３６】
蓄電素子１は、図２に示すように、正極及び負極を含む電極体と、電極体を収容するケース１０と、ケース１０の外面上に配置された一対の外部端子１１とを備える。
【００３７】
ケース１０は、開口を有するケース本体１００と、ケース本体１００の開口を閉じる蓋板１０１であって、外面上に一対の外部端子１１が配置される蓋板１０１とを有する。
【００３８】
本実施形態に係る蓄電装置は、複数の蓄電素子１を備える。複数の蓄電素子１のそれぞれは、一方向に整列する。また、図４に示すように、蓄電装置では、隣り合う二つの蓄電素子１の外部端子１１がバスバＢによって電気的に接続されている。
【００３９】
なお、以下の説明において、便宜上、蓄電素子１の整列する方向（第一方向）をＸ軸方向という。また、蓄電素子１の整列する方向（Ｘ軸方向）と直交する二軸方向のうちの一つの方向（第二方向）をＹ軸方向といい、残りの一つの方向（第三方向）をＺ軸方向ということとする。これに伴い、各図面には、Ｘ軸方向、Ｙ軸方向、及びＺ軸方向のそれぞれに対応する直交三軸（座標軸）が補助的に図示されている。
【００４０】
スペーサ２は、絶縁性を有する。上述のように、蓄電装置は、複数の蓄電素子１を備える。これに伴い、蓄電装置は、図３に示すように、スペーサ２として、Ｘ軸方向で隣り合う二つの蓄電素子１間に配置されるスペーサ２と、Ｘ軸方向における両端に配置される蓄電素子１と隣り合うスペーサ２とを備える。
【００４１】
本実施形態において、保持部材３は、金属製である。保持部材３は、Ｘ軸方向における両端に配置されるスペーサ２と隣り合う位置のそれぞれに配置される一対の終端部材３０と、該一対の終端部材３０のそれぞれを接続するフレーム３１とを備える。
【００４２】
インシュレータ４は、絶縁性を有する材料で構成されている。そして、インシュレータ４は、複数の蓄電素子１のそれぞれと複数の保持部材３（フレーム３１）との間に配置される。これにより、蓄電装置では、蓄電素子１が保持部材３に対して絶縁されている。
【００４３】
上述のように、絶縁カバー５は、蓄電素子１の外部端子１１が配置される部分を覆って絶縁する。すなわち、絶縁カバー５は、導電部を覆って絶縁する。
【００４４】
本実施形態に係る蓄電装置は、蓄電素子１に電気的に接続される接続端子Ｔであって、外部の機器に対して電気的に接続される接続端子Ｔや、Ｘ軸方向で隣り合う蓄電素子１のそれぞれに電気的に接続される複数のバスバＢを備える（図４参照）。
【００４５】
なお、本実施形態において、複数のバスバＢには、Ｘ軸方向で隣り合う蓄電素子１のそれぞれに電気的に接続されるものに加えて、Ｘ軸方向の両端に配置される蓄電素子１の一つの外部端子１１に電気的に接続されるものも含む。
【００４６】
そのため、図５乃至図７に示すように、絶縁カバー５は、蓄電装置の一部である接続端子Ｔに電気的に接続される蓄電素子１の外部端子１１を覆う蓋部５０を備える。また、絶縁カバー５は、蓄電装置の一部であるバスバＢによって互いに電気的に接続される蓄電素子１の外部端子１１を覆う蓋部５１を備える。なお、本実施形態では、蓋部５０を第一の蓋部５０とし、蓋部５１を第二の蓋部５１として以下の説明を行うこととする。
【００４７】
絶縁カバー５は、第一の蓋部５０と蓄電素子１との間に配置される台部５２（以下、第一の台部５２とする）を備える。また、絶縁カバー５は、第一の蓋部５０を第二の蓋部５１に対して回転可能に繋ぐ支点部５４（以下、第一の支点部５４とする）を備える。すなわち、本実施形態に係る第一の蓋部５０には、該第一の蓋部５０自身の回転支点となる第一の支点部５４が形成されている。
【００４８】
図６及び図７に示すように、第一の蓋部５０は、第二の蓋部５１に接続される第一端と、該第一端とは反対側の第二端とを有する。そのため、本実施形態に係る第一の蓋部５０は、前記第一の支点部５４が第一端に配置されている。なお、図６は、第一の蓋部５０及び第二の蓋部５１のそれぞれが蓄電素子１の外部端子１１を含む領域を覆っている状態の平面図である。そして、図７は、第一の蓋部５０及び第二の蓋部５１のそれぞれが蓄電素子１の外部端子１１を含む領域を開放している状態の平面図である。なお、図７には、第一の蓋部５０を折り曲げていない状態で図示している。
【００４９】
第一の蓋部５０は、蓄電素子１の外部端子１１と対向する第一面と、該第一面とは反対側の第二面とを有する。なお、本実施形態に係る第一の蓋部５０の第一面は、バスバＢを介して外部端子１１と対向する。
【００５０】
より具体的に説明する。第一の蓋部５０は、平板状に形成される平板部５００を有する。平板部５００は、第一の支点部５４によって隣り合う第二の蓋部５１に対して回転可能に繋がれる第一端と、該第一端とは反対側の第二端とを有する。そのため、絶縁カバー５では、第一の蓋部５０の第一端が平板部５００の第一端で構成され、第一の蓋部５０の第二端が平板部５００の第二端で構成される。平板部５００の第一端は、Ｙ軸方向に真っ直ぐに延びている。
【００５１】
また、平板部５００は、面直交方向において、第一面と、該第一面とは反対側の第二面とを有する。平板部５００は、第一端を支点として回転することによって、第一面を第一の台部５２と対向させている状態と、第一面を第一の台部５２と対向させていない状態とに切替可能に構成される。そのため、絶縁カバー５では、第一の蓋部５０の第一面が平板部５００の第一面で構成され、第一の蓋部５０の第二面が平板部５００の第二面で構成される。
【００５２】
第一の蓋部５０の平板部５００と、第二の蓋部５１との境目には、第一の蓋部５０の第一端に沿って（Ｙ軸方向に沿って）真っ直ぐに延びる溝Ｒ１が形成される（図８参照）。溝Ｒ１は、第一の蓋部５０の平板部５００の第一面に形成される。
【００５３】
これにより、絶縁カバー５では、第一の蓋部５０の平板部５００と第二の蓋部５１の平板部５１０との境目の部分が薄肉状に形成され、該境目の部分が可撓性を有するように構成される。このように、本実施形態に係る第一の支点部５４は、第一の蓋部５０の平板部５００と、第二の蓋部５１との境目に溝Ｒ１を形成することによって構成されている。
【００５４】
さらに、第一の蓋部５１は、第一端と第二端との間に配置される第二の支点部であって、回転支点となる第二の支点部を有する。これにより、第一の蓋部５１は、第一端と第二端との間で折曲可能に構成されている。本実施形態に係る第一の蓋部５１は、第二の支点部として、第一端と第二端との間の部分を他の部分よりも薄肉にすることで形成される折曲部５０２を有する。
【００５５】
折曲部５０２は、第一端と第二端とが並ぶ方向に対して直交する方向（本実施形態では、Ｙ軸方向）で真っ直ぐに延びる。そのため、第一の蓋部５０において、第一の支点部５４と、折曲部５０２とは、互いに平行である。
【００５６】
より具体的に説明する。本実施形態に係る折曲部５０２は、平板部５００の第一端と第二端との間の部分にＹ軸方向で真っ直ぐに延びる溝Ｒ２を形成することによって構成される（図８参照）。また、折曲部５０２を構成するための溝Ｒ２は、第一の蓋部５０の第一面に形成されている。
【００５７】
なお、本実施形態では、第一の蓋部５０の折曲部５０２よりも第一端側の部分を第一の蓋片５０３とし、第一の蓋部５０の折曲部５０２よりも第二端側の部分を第二の蓋片５０４として以下の説明を行う場合がある。
【００５８】
さらに、第一の蓋部５０は、第一面を第一の台部５２と対応させた状態を維持できるように構成される。そのため、図７に示すように、本実施形態に係る第一の蓋部５０は、第一の台部５２に掛止可能な爪部５０１（以下、第一の爪部５０１とする）を備える。
【００５９】
第一の台部５２は、蓄電素子１の外部端子１１の周囲（蓄電素子１の蓋板１０１上）に配置される載置部５２０（以下、第一の載置部５２０とする）と、該第一の載置部５２０の外周縁から起立する壁部５２１（以下、第一の壁部５２１とする）と、を有する。
【００６０】
第一の載置部５２０は、平板状をなしており、蓄電素子１の外部端子１１と対応する位置に挿通穴５２２が形成されている。また、第一の載置部５２０は、蓄電素子１（蓄電素子１の蓋板１０１）と対向する第一面と、該第一面とは反対側の第二面とを有する。
【００６１】
そのため、第一の台部５２は、第一の載置部５２０を蓄電素子１の蓋板１０１上に配置すると、該蓄電素子１の外部端子１１が第一の載置部５２０の第一面側から第一の載置部５２０の第二面側に突き出た状態になる。
【００６２】
第一の壁部５２１は、起立する方向に真っ直ぐに延びるスリット５２３が形成される。そのため、第一の台部５２は、バスバＢと電気的に接続されるケーブル等（図示しない）をスリット５２３に通すことによって、該ケーブル等を第一の壁部５２１に囲まれる領域の内外に亘って配置することができるように構成されている。
【００６３】
また、上述のように、第一の蓋部５０は、第一の台部５２に掛止可能な第一の爪部５０１を備える。そのため、第一の台部５２は、第一の蓋部５０の第一の爪部５０１を掛止するための掛止部５２４（以下、第一の掛止部５２４とする）をさらに有する（図７及び図９参照）。
【００６４】
上述のように、絶縁カバー５は、バスバＢによって互いに電気的に接続される蓄電素子１の外部端子１１を覆う第二の蓋部５１を備えている。これに伴い、図５乃至図７に示すように、絶縁カバー５は、第二の蓋部５１と蓄電素子１との間に配置される台部５３（以下、第二の台部５３とする）を備える。絶縁カバー５は、第二の蓋部５１を第二の台部５３に対して回転可能に繋ぐ支点部５５（以下、第三の支点部５５とする）を備える。
【００６５】
図６及び図７に示すように、第二の蓋部５１は、該第二の蓋部５１自身の回転支点となる第一端と、該第一端とは反対側の第二端とを有する。また、第二の蓋部５１は、蓄電素子１の外部端子１１と対向する第一面と、該第一面とは反対側の第二面とを有する。なお、本実施形態に係る第二の蓋部５１の第一面は、バスバＢを介して外部端子１１と対向する。
【００６６】
より具体的に説明する。第二の蓋部５１は、平板状に形成される平板部５１０を有する。
【００６７】
平板部５１０は、第三の支点部５５によって第二の台部５３に対して回転可能に繋がれる第一端と、該第一端とは反対側の第二端とを有する。絶縁カバー５では、第二の蓋部５１の第一端が平板部５１０の第一端で構成され、第二の蓋部５１の第二端が平板部５１０の第二端で構成される。
【００６８】
また、平板部５１０は、面直交方向において、第一面と、該第一面とは反対側の第二面とを有する。そのため、平板部５１０は、第一端を支点として回転することによって、第一面を第二の台部５３と対向させている状態と、第一面を第二の台部５３と対向させていない状態とに切替可能に構成される。
【００６９】
本実施形態に係る絶縁カバー５では、第二の蓋部５１の第一面が平板部５１０の第一面で構成され、第二の蓋部５１の第二面が平板部５１０の第二面で構成される。
【００７０】
さらに、第二の蓋部５１は、第一面を第二の台部５３と対応させた状態を維持できるように構成される。そのため、図７に示すように、第二の蓋部５１は、第二の台部５３に掛止可能な爪部５１１（以下、第二の爪部５１１とする）を備える。
【００７１】
第二の台部５３は、蓄電素子１の外部端子１１の周囲（蓄電素子１の蓋板１０１上）に配置される載置部５３０（以下、第二の載置部５３０とする）と、該第二の載置部５３０と、該第二の載置部５３０の外周縁から起立する壁部５３１（以下、第二の壁部５３１とする）と、を有する。
【００７２】
本実施形態に係る第二の載置部５３０は、平板状をなしており、蓄電素子１の外部端子１１と対応する位置に挿通穴５３２が形成されている。また、第二の載置部５３０は、蓄電素子１（蓄電素子１の蓋板１０１）と対向する第一面と、該第一面とは反対側の第二面とを有する。
【００７３】
そのため、第二の台部５３は、第二の載置部５３０を蓄電素子１の蓋板１０１上に配置すると、該蓄電素子１の外部端子１１が第二の載置部５３０の第一面側から第二の載置部５３０の第二面側に突き出た状態になる。
【００７４】
第二の壁部５３１は、起立する方向に真っ直ぐに延びるスリット５３３が形成される。そのため、第二の台部５３は、バスバＢと電気的に接続されるケーブル等（図示しない）をスリット５３３に通すことによって、該ケーブル等を第二の壁部５３１に囲まれる領域の内外に亘って配置することができるように構成されている。
【００７５】
また、上述のように、第二の蓋部５１は、第二の台部５３に掛止可能な第二の爪部５１１を備える。そのため、第二の台部５３は、第二の蓋部５１における第二の爪部５１１を掛止するための掛止部５３４（以下、第二の掛止部５３４とする）をさらに有する（図７及び図９参照）。
【００７６】
本実施形態に係る絶縁カバー５では、第一の蓋部５０の第一面を台部５２に対向させていない状態を維持できるように構成されている。すなわち、絶縁カバー５は、第一の蓋部５０が蓄電素子１の外部端子１１上を開放した状態を維持できるように構成されている。本実施形態に係る絶縁カバー５では、第一の蓋部５０の第二端が、第一の蓋部５０の第一端が繋がる第二の蓋部５１に対して着脱可能に構成される。
【００７７】
より具体的に説明する。図８に示すように、第一の蓋部５０は、第二端に形成される嵌込部５０５を有する。嵌込部５０５は、第一の蓋部５０の第二端から延出する延出片５０５ａであって、第一の蓋部５０の第二面に対して直交する延出片５０５ａと、該延出片５０５ａから突出する突出部５０５ｂとを有する。
【００７８】
突出部５０５ｂは、延出片５０５ａに繋がる第一端と、該第一端とは反対側の第二端とを有する。また、突出部５０５ｂの第二端は、突出部５０５ｂの第一端よりも太くなるように形成される。
【００７９】
なお、本実施形態に係る第一の蓋部５０は、接続端子Ｔ及び接続端子Ｔが電気的に接続される蓄電素子１の外部端子１１を含む領域を覆うように構成される。
【００８０】
上述のように、第一の蓋部５０は、第二端を第二の蓋部５１に着脱可能に構成される。そのため、図６及び図７に示すように、第二の蓋部５１は、平板部５１０に形成される被嵌込部５１２を備える。
被嵌込部５１２は、平板部５１０に形成される貫通穴５１２ａを画定する部分から延出する一対の挟持片５１２ｂであって、互いに接近する方向に延出する一対の挟持片５１２ｂを有する。一対の挟持片５１２ｂは、第一の蓋部５０の突出部５０５ｂが挿し込まれる方向に傾斜している。
【００８１】
第一の台部５２は、載置部５２０に隣接する端子載置部５２５であって、接続端子Ｔを配置する端子載置部５２５をさらに有する。
【００８２】
上述のように、第一の蓋部５０の平板部５００と、第二の蓋部５１の平板部５１０との境目には、第一の蓋部５０の第一端に沿って（Ｙ軸方向に沿って）真っ直ぐに延びる溝Ｒ１が形成されている。すなわち、第一の支点部５４は、第二の蓋部５１の平板部５１０との境目における薄肉状に形成されている部分である。
【００８３】
第三の支点部５５は、可撓性を有する。また、第三の支点部５５は、第二の蓋部５１における平板部５１０と第二の台部５３の壁部５３１とに繋がっている。
【００８４】
なお、本実施形態に係る蓄電装置は、Ｘ軸方向で隣り合う蓄電素子１の外部端子１１を電気的に接続するバスバＢが複数存在する。そのため、本実施形態に係る絶縁カバー５は、複数の第二の蓋部５１と、複数の第二の台部５３とを備える。
【００８５】
また、複数の第二の蓋部５１のそれぞれは、複数の台部５３（本実施形態では、三つの台部５３）を一括して覆うことができるように形成されている。
【００８６】
ここで、本実施形態に係る蓄電装置における絶縁カバーの動作について説明する。
【００８７】
図８に示すように、第一の蓋部５０に覆われている接続端子Ｔに対する作業を行う場合について説明する。まず、折曲部５０２を支点として第二の蓋片５０４を回転させる。そして、図９に示すように、第一の蓋部５０を折曲部５０２で折り曲げる（折り返す）。
【００８８】
そして、第一の蓋部５０を第一端を支点として回転させる。このようにして、第一端と第二端との間の部分で折り返した状態の第一の蓋部５０を回転させる。これにより、図１０に示すように、接続端子Ｔ上が開放される。
【００８９】
さらに、第一の蓋部５０の突出部５０５ｂを被嵌込部５１２に嵌め込むと、該突出部５０５ｂが一対の挟持片５１２ｂによって挟持される。従って、該第一の蓋部５０の第二端を第二の蓋部５１に取り付けることによって、接続端子Ｔ上が開放されている状態を維持することができる。
【００９０】
以上のように、本実施形態に係る蓄電装置における絶縁カバー５では、複数の蓋部５０，５１のそれぞれを回転させることによって、該蓋部５０，５１を蓄電素子１の外部端子１１を含む領域を覆った状態と、蓄電素子１の外部端子１１を含む領域を解放した状態とにすることができる。
【００９１】
また、第一の蓋部５０は、第二の支点部（折曲部５０２）として回転することができる。すなわち、第一の蓋部５０は、第一端と第二端との間で折り曲げることができる。本実施形態に係る第一の蓋部５０は、第一端と前記第二端とが並ぶ方向と交差する方向に延びる線状の溝を形成することで構成される折曲部５０２で折り曲げることができる。
【００９２】
そのため、第一の蓋部５０における第一端と第二端との間の部分は、第一の蓋部５０の他の部分よりも薄くなる。そのため、第一の蓋部５０は、折曲部５０２が形成されている部分の剛性を弱めることができる。これにより、第一の蓋部５０は、第一端と第二端との間にある折曲部で折り曲げることができるようになっている。
【００９３】
そのため、第一の蓋部５０は、折曲部５０２で折り曲げられた状態において、第一の支点部５４を支点として回転することができる。これにより、絶縁カバー５は、第一端を支点として回転する第一の蓋部５０の軌道領域を小さくすることができる。従って、絶縁カバー５は、第一の蓋部５０が設置物に干渉し難くなり、蓄電素子１の外部端子１１を含む領域を十分に開放し易くなる。このようにして、絶縁カバー５は、内部へのアクセスが困難になることを抑えることができる。
【００９４】
そして、第一の蓋部５０は、第一の支点部５４を支点として回転する方向と、折曲部５０２を支点として回転する方向とが同一の方向となるように構成されるため、第一の蓋部５０における折曲部５０２と先端部との間の部分や、折曲部５０２で折り曲げられている状態の第一の蓋部５０を操作する方向を統一することができる。従って、絶縁カバー５は、蓄電装置の一部を開放した状態、又は蓄電装置の一部を覆った状態に切り替える際に、第一の蓋部５０を操作し易くすることができる。
【００９５】
そして、第一の蓋部５０は、嵌込部５０５を第二の蓋部５１（第一端が繋がる第二の蓋部５１）の被嵌込部５１２に嵌め込むことによって、第二の蓋部５１に第二端を着脱可能に構成される。
【００９６】
そのため、第一の蓋部５０は、蓄電素子１の外部端子１１を含む領域を開放している状態において、第二の蓋部５１の被嵌込部５１２に嵌込部５０５を嵌め込むことができる。これにより、第一の蓋部５０は、蓄電素子１の外部端子１１を含む領域を開放している状態を維持することができる。
【００９７】
そして、第一の蓋部５０は、第二の蓋部５１の被嵌込部５１２から嵌込部５０５を取り外せば、第一端を支点として回転させることができるようになる。これにより、第一の蓋部５０は、蓄電素子１の外部端子１１を含む領域を覆うことができるようになる。
【００９８】
また、嵌込部５０５は、第一の蓋部５０の延びる方向において該第一の蓋部５０の先端部から延出している。そのため、絶縁カバー５では、蓄電装置の一部を覆っている第一の蓋部５０の上方に嵌込部５０５が延出しないように構成されている。従って、絶縁カバー５は、第一の蓋部５０が蓄電装置の一部を覆っている状態において、嵌込部５０５が第一の蓋部５０の上方に配置される周辺機器に干渉することを抑えることができる。
【００９９】
第一の蓋部５０の第一の支点部５４は、第二の蓋部５１に対して回転可能に構成される。そのため、絶縁カバー５は、第一の蓋部５０と、第二の蓋部５１とを一体的に形成することができ、部品点数を抑えることができる。
【０１００】
また、絶縁カバー５において、第一の蓋部５０は、第一面に溝Ｒ１が形成されている。そのため、絶縁カバー５は、第一の蓋部５０を第一端を支点として回転させる際に、該第一の蓋部５０が第二の蓋部５１に干渉することを防ぐことができる。
【０１０１】
また、一対の挟持片５１２ｂは、第一の蓋部５０の突出部５０５ｂが挿し込まれる方向に傾斜しているため、突出部５０５ｂが被嵌込部５１２から不用意に抜けてしまうことを防止できる。
【０１０２】
そして、蓄電装置アッセンブリーは、蓄電素子１、及び該蓄電素子１と電気的に接続されるバスバＢを有する蓄電装置と、上述の絶縁カバー５と、を備えるため、第一の蓋部５０が設置物に干渉し、蓄電素子１の外部端子１１を含む領域を十分に開放できなくなることを抑えることができる。このようにして、蓄電装置アッセンブリーは、絶縁カバー５の内部へのアクセスが困難になることを抑えることができる。
【０１０３】
なお、本発明に係る蓄電装置は、上記一実施形態に限定されるものではなく、本発明の要旨を逸脱しない範囲において種々変更を行うことは勿論である。
【０１０４】
上記実施形態において、スペーサ２は、略矩形状であり、また、蓄電素子１のケース本体１００（Ｘ軸方向におけるケース本体１００の一面）と略同等の大きさになっている。しかしながら、内部スペーサ２は、隣り合う二つの蓄電素子１のそれぞれの姿勢を対応させることができれば、略矩形状であるものに限定されず、また、蓄電素子１のケース本体１００と略同等の大きさであるものにも限定されない。
【０１０５】
上記実施形態において、スペーサ２は、矩形波形状にすることによって、蓄電素子１との間に通風路を形成している。しかしながら、スペーサ２は、第一面と蓄電素子１との間（第二面と蓄電素子１との間）に流体を通過させることができれば、矩形波形状であるものに限定されない。また、スペーサ２と蓄電素子１との間に通風路を形成する必要がない場合、スペーサ２は、平板状に形成されていてもよい。
【０１０６】
上記実施形態において、特に言及しなかったが、第二の蓋部５１を第一端と第二端との間で折曲可能に構成してもよい。このようにすれば、第一端を支点として開店する第二の蓋部５１の回転領域お小さくすることができる。従って、第二の蓋部５１に覆われている部分に対するアクセスが困難になることも抑えることができる。
【０１０７】
上記実施形態において、支点部５４は、第一の蓋部５０の平板部５００と第二の蓋部５１の平板部５１０との境目の部分を薄肉状にすることで構成されていたが、これに限定されるものではなく、例えば、支点部５４としてヒンジ等の構成を採用してもよい。
【０１０８】
また、折曲部５０２は、第一の蓋部５０の第一端と第二端との間の部分を他の部分よりも薄肉にすることで形成していたが、これに限定されるものではなく、例えば、折曲部５０２として、ヒンジ等の構成を採用してもよい。
【０１０９】
上記実施形態において、第一の蓋部５０は、第一の蓋片５０３の第二面と、第二の蓋片５０４の第二面とを互いに対向させるようにして折り曲げるようになっていたが、これに限定されるものではなく、例えば、第一の蓋部５０は、第一の蓋片５０３の第一面と、第二の蓋片の５０４の第一面とを互いに対向させるようにして折り曲げるようになっていてもよい。
【０１１０】
上記実施形態において、第一の支点部５４は、第一の蓋部５０の第一端に配置されていたが、これに限定されるものではない。例えば、第一の支点部５４は、第一の蓋部５０の第一端から第二端側にずれた位置に配置されていてもよい。
【符号の説明】
【０１１１】
１…蓄電素子、２…スペーサ、３…保持部材、４…インシュレータ、５…絶縁カバー、１０…ケース、１１…外部端子、３０…終端部材、３１…フレーム、５０…第一の蓋部、５１…第二の蓋部、５２…第一の台部、５３…第二の台部、５４…第一の支点部、５５…第三の支点部、１００…ケース本体、１０１…蓋板、５００…平板部、５０１…爪部、５０２…折曲部（第二の支点部）、５０３…第一の蓋片、５０４…第二の蓋片、５０５…嵌込部、５０５ａ…延出片、５０５ｂ…突出部、５１０…平板部、５１２…被嵌込部、５１２ａ…貫通穴、５１２ｂ…挟持片、５２０…第一の載置部、５３０…第二の載置部、５２１…第一の壁部、５３１…第二の壁部、５２２，５３２…挿通穴、５２３，５３３…スリット、５２４…第一の掛止部、５３４…第二の掛止部、５２５…端子載置部、Ｂ…バスバ、Ｒ１…溝、Ｒ２…溝、Ｔ…接続端子
【図１】
0006411864.tif 000002
【図２】
0006411864.tif 000003
【図３】
0006411864.tif 000004
【図４】
0006411864.tif 000005
【図５】
0006411864.tif 000006
【図６】
0006411864.tif 000007
【図７】
0006411864.tif 000008
【図８】
0006411864.tif 000009
【図９】
0006411864.tif 000010
【図１０】
0006411864.tif 000011
【図１１】
0006411864.tif 000012
【図１２】
0006411864.tif 000013